(57)【要約】【課題】様々な光学フィルタ、特殊観察用フィルタ、減光フィルタを設けても小型な光源装置を実現する。【解決手段】光源装置３は、複数種の内視鏡のうち、１つを選択的に接続可能なコネクタ受け部４１と、このコネクタ受け部４１に接続した内視鏡に供給するための照明光を発生するキセノンランプ４２と、このキセノンランプ４２により発生した照明光を内視鏡に導光する光学系４８と、内視鏡の観察モードに応じてキセノンランプ４２からの光の波長領域を制限する複数種の観察フィルタを設け、内視鏡の観察モードに応じて該当する観察フィルタを光学系４８の光路上に配置可能な観察モード切換ターレット５１と、内視鏡の観察モードに応じてキセノンランプ４２からの光を減光する複数種の減光メッシュフィルタを設け、内視鏡に応じて該当する減光フィルタを光学系４８の光路上に配置可能な減光メッシュターレット５２とを具備して構成されている。【選択図】図２
2006075240.tif 000002
【特許請求の範囲】
【請求項１】
複数種の内視鏡のうち、１つを選択的に接続可能な内視鏡接続部と、
前記内視鏡接続部に接続した内視鏡に供給するための照明光を発生する光源と、
前記光源により発生した照明光を前記内視鏡に導光する光学系と、
前記内視鏡の観察モードに応じて前記光源からの光の波長領域を制限する複数種の観察フィルタを設け、前記内視鏡の観察モードに応じて該当する観察フィルタを前記光学系の光路上に配置可能な観察フィルタ用ターレットと、
前記内視鏡の観察モードに応じて前記光源からの光を減光する複数種の減光フィルタを設け、前記内視鏡に応じて該当する減光フィルタを前記光学系の光路上に配置可能な減光フィルタ用ターレットと、
を具備したことを特徴とする内視鏡用光源装置。
【請求項２】
前記減光フィルタ用ターレットに設けられる前記減光フィルタは、減光メッシュフィルタであることを特徴とする内視鏡用光源装置。
【請求項３】
前記減光フィルタ用ターレットは、前記内視鏡に応じて該当する前記減光フィルタを前記光学系の光路上に配置可能とするために回転可能又は平行移動可能であることを特徴とする内視鏡用光源装置。
【発明の詳細な説明】
【技術分野】
【０００１】
本発明は、複数種の内視鏡のうち、１つを選択的に接続可能な内視鏡用光源装置に関する。
【背景技術】
【０００２】
従来より、内視鏡は、医療分野等で広く利用されている。内視鏡は、細長な挿入部を有して構成されている。内視鏡は、体腔内に上記挿入部を挿入することによって、体腔内の臓器等を観察したり、必要に応じて処置具挿通チャンネル内に挿入した処置具を用いて各種処置をすることができる。
【０００３】
このような内視鏡を備えた内視鏡装置では、光源装置からの照明光をライトガイド等を用いて導光して被検体も目的部位を照明し、その戻り光を取り込んで内視鏡像を得ている。  
上記内視鏡装置は、撮像手段により内視鏡像を撮像し、信号処理装置（以下、プロセッサ）にて信号処理することにより、観察モニタに内視鏡画像を表示して生体組織を観察できるようになっている。
【０００４】
内視鏡装置は、通常の生体組織観察を行う場合、光源装置で可視光領域の白色光(以下、通常光)を発光し、例えばＲＧＢ等の回転フィルタを介することで面順次光として被検体の目的部位を照明し、戻り光に基づく画像信号をプロセッサで同時化して画像処理することでカラー画像を得るようなっている（以下、面順次方式）。  
もしくは、内視鏡装置は、内視鏡に内蔵される固体撮像素子の撮像面前面にカラーチップを配し、通常光による戻り光をカラーチップにてＲＧＢに分離して撮像し、プロセッサで画像処理することによりカラー画像を得るようになっている（以下、同時方式）。
【０００５】
一方、生体組織においては、照射される光の波長により光の吸収特性及び散乱特性が異なるため、種々の特殊光観察用内視鏡装置が提案されている。  
例えば、面順次方式では、近年、特開２００２−３３６１９６号公報に示されているように、紫外光や青色光を励起光として生体組織に照射して生体組織から発生させた自家蛍光が正常部と病変部とで異なることを利用して診断を行う蛍光観察用内視鏡装置が提案されている。
【０００６】
また、特開２０００−４１９４２号公報に示されているように、赤外光を照明光として生体組織に照射し、生体組織の深部の観察が可能な赤外光観察用内視鏡装置が提案されている。更に、特開２００２−９５６３５号公報に示されているように、青色の狭帯域光を照明光として生体組織に照射し、生体組織の粘膜表層付近の観察が可能な狭帯域光観察用内視鏡装置が提案されている。
【０００７】
これらの観察に用いられる内視鏡は、最低でも通常光観察と、少なくとも１つの特殊光観察との２種類の観察が行えるようになっている。例えば、蛍光観察用内視鏡では、通常光観察、蛍光観察が可能である。また、赤外光観察用内視鏡装置では、通常光観察と赤外光観察が可能である。更に、狭帯域光観察用内視鏡装置では、通常光観察と狭帯域光観察が可能である。  
一方、同時方式においても、同様に、最近でも通常光観察と少なくとも１つの特殊光観察が行え、例えば、狭帯域光観察用内視鏡では、通常光観察と狭帯域光観察、蛍光観察用内視鏡では通常光観察と蛍光観察が可能等である。
【０００８】
これら特殊光観察用内視鏡装置において、通常光観察と特殊光観察の切換操作は、内視鏡の操作部やプロセッサ，光輝装置のフロントパネル上に設けられたスイッチ、内視鏡のフットスイッチの操作等によって行われるようになっている。  
また、近年、複数の特殊光観察モードを、１セットのプロセッサ、光源装置にて使用可能にしたいという要望が高まっている。例えば、ある内科用ユーザは狭帯域観察用内視鏡として用いたり、外科用ユーザは蛍光観察用内視鏡として用い、別の外科用のユーザは赤外光観察用内視鏡として用いるといった、ユーザ特に内科外科によるといった用途が考えられる。
ここで、特殊光観察は、観察モードに応じて、光源装置から供給される照明光の分光特性、内視鏡の対物光学系の透過特性や固体撮像素子の種類、プロセッサ装置内の信号処理等が異なる。  
このように、従来の光源装置は、観察モードに応じた観察モードフィルタを複数設けた観察モード切換ターレットにある特殊観察モード用のフィルタを設けることが考えられる。
【特許文献１】特開２００２−３３６１９６号公報
【特許文献２】特開２０００−４１９４２号公報
【特許文献３】特開２００２−９５６３５号公報
【発明の開示】
【発明が解決しようとする課題】
【０００９】
一方で、内視鏡の中でも内科用と外科用等々、種類に応じて内視鏡入射端に入光できる最大の許容光量が決まっている。このため、光源装置は、内視鏡の種類に応じて供給する最大の光量を自動で規制する必要があり、内視鏡の種類に適用した減光フィルタを設ける必要がある。
【００１０】
しかしながら、例えば、通常の外科用の内視鏡の最大許容光量を「１」とすると、高輝度の外科用の内視鏡は２倍、内科用の内視鏡が１．３〜１．６倍と様々あり、減光フィルタで減光する必要がある。  
そこで、ターレット板にこれらの減光フィルタから光学フィルタ、特殊な光フィルタ全てを上記観察モード切換ターレットに設けると、このターレットが巨大化してしまい、結果として装置自体が大型化してしまう。
【００１１】
本発明は、上記事情に鑑みてなされたもので、様々な光学フィルタ、特殊観察用フィルタ、減光フィルタを設けても小型な光源装置を提供することを目的とする。
【課題を解決するための手段】
【００１２】
本発明による内視鏡用光源装置は、複数種の内視鏡のうち、１つを選択的に接続可能な内視鏡接続部と、前記内視鏡接続部に接続した内視鏡に供給するための照明光を発生する光源と、前記光源により発生した照明光を前記内視鏡に導光する光学系と、前記内視鏡の観察モードに応じて前記光源からの光の波長領域を制限する複数種の観察フィルタを設け、前記内視鏡の観察モードに応じて該当する観察フィルタを前記光学系の光路上に配置可能な観察フィルタ用ターレットと、前記内視鏡の観察モードに応じて前記光源からの光を減光する複数種の減光フィルタを設け、前記内視鏡に応じて該当する減光フィルタを前記光学系の光路上に配置可能な減光フィルタ用ターレットと、を具備したことを特徴としている。
【発明の効果】
【００１３】
本発明の内視鏡用光源装置は、様々な光学フィルタ、特殊観察用フィルタ、減光フィルタを設けても小型化できるという効果を有する。
【発明を実施するための最良の形態】
【００１４】
以下、図面を参照して本発明の一実施例を説明する。
【実施例１】
【００１５】
図１ないし図３０は本発明の一実施例に係わり、図１は一実施例の内視鏡用光源装置を備えた内視鏡システムを示す全体構成図、図２は図１の光源装置の内部構成を示すブロック図、図３は図２の制御基板の内部構成を示すブロック図、図４は図１の光源装置の正面図、図５は図４の操作パネルの構成を示す拡大図、図６は図４の変形例を示す光源装置の正面図、図７は図６の操作パネルの構成を示す拡大図、図８は図２のキセノンランプからの光路を示す概略斜視図、図９は図８の観察モード切換ターレット付近を示す正面図、図１０は図８の減光メッシュターレット付近を示す正面図、図１１は図１０の第１の変形例を示す減光メッシュターレットの正面図、図１２は図１０の第２の変形例を示す減光メッシュターレットの正面図、図１３は図１０の減光メッシュターレットの詳細構成を示す斜視図、図１４は図１３の減光メッシュの貼り方の変更例を示す斜視図、図１５は図１４の減光メッシュターレットの裏側を示す斜視図、図１６は図１の内視鏡のコネクタが光源に接続された状態の位置関係を示す概略説明図、図１７は図８のコネクタ受け部付近を示す斜視図、図１８は図１７のコネクタ受け部付近の断面図、図１９は図１８のコネクタ受け部に通常軟性内視鏡の光源コネクタが接続された際の断面図、図２０は図１８のコネクタ受け部に高輝度硬性内視鏡の光源コネクタが接続された際の断面図、図２１は図１８のコネクタ受け部に通常硬性内視鏡の光源コネクタが接続された際の断面図、図２２は図１８における第１，第２フォトセンサと第１，第２突起部との関係を示す概略説明図、図２３は図１９における第１，第２フォトセンサと第１，第２突起部との関係を示す概略説明図、図２４は図２０における第１，第２フォトセンサと第１，第２突起部との関係を示す概略説明図、図２５は第３フォトセンサと第３突起部との関係を示し、第３フォトセンサがオフしている状態の概略説明図、図２６は第３フォトセンサと第３突起部との関係を示し、第３フォトセンサがオンしている状態の概略説明図、図２７はＭＰＵが行うメインフローチャート、図２８はＭＰＵが行う内視鏡切換制御フローチャート、図２９はＭＰＵが行うメモリ書き込み制御フローチャート、図３０はＭＰＵが行う観察モード切換制御フローチャートである。
【００１６】
図１に示すように内視鏡システム１は、複数種の内視鏡２と、内視鏡用光源装置（以下、単に光源装置）３と、ビデオプロセッサ４と、モニタ５とを有して構成されている。尚、前記光源装置３にはフットスイッチ６が接続されるようになっている。  
前記複数種の内視鏡２は、通常軟性内視鏡１１と、通常硬性内視鏡１３と、高輝度硬性内視鏡１４である。
【００１７】
前記通常硬性内視鏡１３及び前記高輝度硬性内視鏡１４は、それぞれカメラヘッド１５が取り付けられている。これらカメラヘッド１５は、延出するカメラケーブル１６の端部に電気コネクタ１７が設けられており、前記ビデオプロセッサ４に着脱自在に接続されるようになっている。尚、図示しないが前記カメラヘッド１５には、前記通常硬性内視鏡１３又は前記高輝度硬性内視鏡１４から供給される内視鏡像を撮像する撮像素子が内蔵されている。  
また、通常硬性内視鏡１３及び高輝度硬性内視鏡１４は、図示しないトラカールを介して患者の腹腔内に挿入される挿入部２１と、この挿入部２１の基端側に連設する接眼部２２とを有している。
【００１８】
前記通常硬性内視鏡１３は、前記接眼部２２から延出するライトガイドケーブル２３の端部に前記光源装置３と着脱自在に接続される光源コネクタ２４ｃを設けている。また、前記高輝度硬性内視鏡１４は、前記接眼部２２から延出するライトガイドケーブル２３の端部に前記光源装置３と着脱自在に接続される光源コネクタ２４ｄを設けている。  
前記通常軟性内視鏡１１は、体腔内に挿入される細長な挿入部３１と、この挿入部３１の基端側に連設される操作部３２とを有している。
【００１９】
前記通常軟性内視鏡１１は、前記操作部３２から延出するユニバーサルケーブル３３の端部に前記光源装置３と着脱自在に接続される光源コネクタ２４ａを設けている。  
この光源コネクタ２４ａの側部には、電気ケーブル３５が延出してこの端部に前記ビデオプロセッサ４に着脱自在に接続される電気コネクタ３６を設けている。
【００２０】
前記挿入部３１は、軟性を有する可撓管部３７と、この可撓管部３７の先端側に設けられた湾曲部３８と、この湾曲部３８の先端側に設けられた先端部３９とを有して構成されている。前記先端部３９には、体腔内の観察部位を撮像する後述の撮像素子が内蔵されている。尚、図１中、前記光源装置３及び前記ビデオプロセッサ４には、前記通常軟性内視鏡１１が接続されている。
【００２１】
図２に示すように前記通常軟性内視鏡１１は、ライトガイド３１ａが挿通配設されている。このライトガイド３１ａは、前記光源コネクタ２４ａが前記光源装置３に着脱自在に接続されて照明光を供給されるようになっている。  
光源装置３から供給される照射光は、ライトガイド３１ａにより前記挿入部３１の先端側に伝達される。このライトガイド３１ａの出射端面に伝送された照明光は、その端面に配設される照明光学系３９ａから被検体の観察対象部位を照明するようになっている。
【００２２】
また、挿入部先端部３９には、前記照明光学系３９ａに隣接して観察対象部位からの光を取り込み、光学像を結ぶための対物光学系３９ｂが配設されている。前記対物光学系３９ｂの後方には、撮像素子としてＣＣＤ３９ｃが配設されている。  
前記ＣＣＤ３９ｃから延出する信号線３１ｂは、前記挿入部３１を挿通して更に電気ケーブル３５と通って前記電気コネクタ３６に至り、この電気コネクタ３６を介して前記ビデオプロセッサ４に電気的に接続するようになっている。前記ＣＣＤ３９ｃは、前記ビデオプロセッサ４内に設けた図示しないＣＣＤ駆動回路から出力される駆動信号により駆動されるようになっている。このＣＣＤ３９ｃは、結像された光学像を光電変換して撮像信号を前記ビデオプロセッサ４に出力するようになっている。
【００２３】
前記ビデオプロセッサ４は、前記通常軟性内視鏡１１の前記ＣＣＤ３９ｃから出力される撮像信号を図示しない映像信号処理回路により信号処理して標準的な映像信号を生成し、モニタ５に出力してこのモニタ５の表示画面に表示するようになっている。
【００２４】
また、前記通常軟性内視鏡１１は、送気管路３１ｃが挿通配設されている。この送気管路３１ｃは、前記光源コネクタ２４ａが前記光源装置３に着脱自在に接続されて空気を供給されるようになっている。  
光源装置３から供給される空気は、送気管路３１ｃにより挿入部３１の先端側に伝達される。この送気管路３１ｃの出射端面に伝送された空気は、その端面に設けたノズル３９ｄから前記対物光学系３９ｂの最先端側に向けて送気するようになっている。
【００２５】
また、前記通常硬性内視鏡１３及び前記高輝度硬性内視鏡１４においては、ライトガイド３１ａ，照明光学系３９ａ及び対物光学系３９ｂのみ同様な構成である。尚、前記通常硬性内視鏡１３及び前記高輝度硬性内視鏡１４は、前記対物光学系３９ｂの後方にリレーレンズ系等の図示しない像伝達光学系が設けられており、前記接眼部２２まで光学像を伝達可能に構成されている。
【００２６】
次に、前記光源装置３について説明する。  
前記光源装置３は、内視鏡接続部としてのコネクタ受け部４１と、光源であるキセノンランプ４２と、スイッチングレギュレータ４３と、温度スイッチ４４と、制御基板４５と、内視鏡接続検知センサ４６と、フロントパネル４７と、光学系４８と、絞り４９と、観察モード切換ターレット５１と、減光メッシュターレット５２と、送気ポンプ（以下、単にポンプ）５３と、フットスイッチ接続部５４と、自動／手動点灯切換スイッチ５５と、通信コネクタ５６とを有して構成されている。
【００２７】
前記コネクタ受け部４１には、前記内視鏡２（通常軟性内視鏡１１（２種類の最大光量が設定できる）、通常硬性内視鏡１３、高輝度硬性内視鏡１４）の光源コネクタ２４ａ，２４ｃ，２４ｄのうち、１つが選択的に着脱自在に接続されるようになっている。  
このコネクタ受け部４１には、前記内視鏡接続検知センサ４６が設けられている。
【００２８】
この内視鏡接続検知センサ４６は、例えば、後述する第１〜第３の３つのフォトセンサにより構成されており、接続される内視鏡２の種類を検知するようになっている。尚、前記内視鏡接続検知センサ４６の詳細構成についても後述する。
【００２９】
ここで、前記内視鏡２（通常軟性内視鏡１１、通常硬性内視鏡１３、高輝度硬性内視鏡１４）では、種類に応じて光源装置３の設定内容が異なる。  
例えば、前記通常軟性内視鏡１１は、上述したように送気管路３１ｃが配設されているので、光源装置３のポンプ５３により空気を送気可能となっている。一方、前記通常硬性内視鏡１３及び前記高輝度硬性内視鏡１４は、送気の必要がないのでポンプ５３を使用しないようになっている。
【００３０】
また、前記内視鏡２（通常軟性内視鏡１１、通常硬性内視鏡１３、高輝度硬性内視鏡１４）では、種類に応じて入光可能な照明光の最大光量が決まっている。  
本実施例では、光源装置３に接続される内視鏡２（通常軟性内視鏡１１、通常硬性内視鏡１３、高輝度硬性内視鏡１４）の種類を検知し、光源装置３を自動設定するように構成している。また、本実施例では、光源装置３に接続される内視鏡２の種類に応じて供給する照明光の最大光量を自動設定するように構成している。
【００３１】
前記キセノンランプ４２は、キセノンガス中の放電を利用したランプである。このキセノンランプ４２のスペクトルは、自然太陽光に近似しており、自然光照明（高照度）光が得られる。  
前記スイッチングレギュレータ４３は、入力電圧を高速にオン／オフ（スイッチング）してパルスに変換し、平滑した安定した直流電圧を得る方式の電源安定装置である。このスイッチングレギュレータ４３は、前記制御基板４５から供給される入力電圧を直流電圧に変換し、装置各部へ供給するようになっている。
【００３２】
前記温度スイッチ４４は、前記キセノンランプ４２の近傍に配置され、このキセノンランプ４２付近の温度が所定値になると、オンして前記制御基板４５にオン信号を出力するようになっている。この信号のやりとりをすることにより、制御基板４５はキセノンランプ４２をオフするようになっている。  
自動／手動点灯切換スイッチ５５は、光源装置３の電源をオンしたときに前記キセノンランプ４２を自動点灯するか、手動点灯するかを選択可能なスイッチである。
【００３３】
前記通信コネクタ５６は、前記ビデオプロセッサ４の通信用ケーブル５７が接続されるようになっている。  
前記光学系４８は、前記キセノンランプ４２により発生した光を前記光源コネクタ２４ａ，２４ｃ，２４ｄのうち、選択的に接続された１つの光源コネクタから突出するライトガイド５８の入射端面に集光するレンズ群により構成されている。
【００３４】
これらレンズ群により構成される光路上には、前記観察モード切換ターレット５１と前記減光メッシュターレット５２及び前記絞り４９が配置されるようになっている。  
これらターレット５１，５２及び絞り４９にはそれぞれモータ５９ａ，５９ｂ，５９ｃが設けられている。
【００３５】
前記絞り４９には扇状の凹部４９ａが形成されており（図８参照）、モータ５９ｃの駆動によって光路上をその扇状の凹部４９ａの位置が移動することで、照明光を所望の光量に絞るようになっている。  
また、前記観察モード切換ターレット５１及び前記減光メッシュターレット５２は、モータ５９ａ，５９ｂの駆動によって所望のフィルタが光路上に配置されるようになっている。尚、前記観察モード切換ターレット５１及び前記減光メッシュターレット５２の詳細構成は、後述する。
【００３６】
前記フットスイッチ接続部５４には、前記フットスイッチ６のフットスイッチケーブル６ａが接続されるようになっている。前記フロントパネル４７は、各種設定、各種表示が行えるようになっている。尚、このフロントパネル４７の詳細構成は、後述する。  
前記ポンプ５３は、前記通常軟性内視鏡１１に送気として空気（Ａｉｒ）を供給するようになっている。このポンプ５３からの空気は、図示しない管路を通って前記コネクタ受け部４１から通常軟性内視鏡１１に供給されるようになっている。
【００３７】
前記制御基板４５は、装置各部を制御するＭＰＵ（ Micro Processing Unit ）６１と、このＭＰＵ６１のプログラムを保存するための図示しないＲＯＭ（ Read Only Memory ）又はＳＲＡＭ（ Static Random Access Memory ）及び動作中のデータを記憶するためのＦＲＡＭ（ Ferroelectric Random Access Memory ）６２が設けられている。  
尚、前記ＦＲＡＭ６２は、後述するように接続される内視鏡２の種類に応じて光源装置３の設定内容を予め記憶している。また、この設定内容は、書き換え可能である。
【００３８】
図３に示すように制御基板４５は、前記ＭＰＵ６１及び前記ＦＲＡＭ６２の他に、前記ＭＰＵ６１によって制御される観察モード切換ターレット制御部６３、減光メッシュターレット制御部６４、絞り制御部６５、内視鏡接続検知部６６、ポンプ制御部６７、ランプ点灯制御部６８、温度スイッチ検知部６９、フットスイッチ検知部７１、通信制御部７２、自動／手動点灯切換制御部７３、フロントパネル制御部７４が設けられている。
【００３９】
前記観察モード切換ターレット制御部６３は、前記観察モード切換ターレット５１の所望の光学フィルタが光路上に配置されるように前記モータ５９ａを制御するようになっている。尚、この観察モード切換ターレット５１には、前記キセノンランプ４２が切れたときのために、スペア用ハロゲンランプ７５が設けられている。
【００４０】
前記観察モード切換ターレット制御部６３は、前記キセノンランプ４２が切れた際、前記スペア用ハロゲンランプ７５が光路上に入るように観察モード切換ターレット５１のモータ５９ａを駆動して前記内視鏡２に光を供給するようになっている。  
前記減光メッシュターレット制御部６４は、前記減光メッシュターレット５２を所望のフィルタが光路上に配置されるように前記モータ５９ｂを制御するようになっている。
【００４１】
前記絞り制御部６５は、前記キセノンランプ４２からの照明光が所望の光量となるように前記絞り４９の位置を調整するために前記モータ５９ｃを制御するようになっている。
【００４２】
本実施例では、前記内視鏡２の光源コネクタ（２４ａ，２４ｃ，２４ｄ）がコネクタ受け部４１から抜けているときや、通信用ケーブル５７が抜けているとき、内視鏡接続検知部６６の故障、ビデオプロセッサ４の電源がオフの際に、前記絞り４９を所定の開度となるように制御している。  
これにより、光源装置３は検査中に、内視鏡接続検知部６６が故障などして誤検知したときや、通信用ケーブル５７が断線したり、抜けたりした際に、前記絞り４９を全閉にすることなく、医療処置に必要な照明光の光量を保てる。
【００４３】
尚、前記コネクタ受け部４１は、前記内視鏡２の光源コネクタ（２４ａ，２４ｃ，２４ｄ）が未接続の場合、開閉部材（後述する図１８のフレキシブル部材１０６）により意図しない照明光が前記コネクタ受け部４１から外に出ないようになっている。  
一方、前記内視鏡接続検知部６６は、前記内視鏡接続検知センサ４６からのオンオフ信号を検知して前記ＭＰＵ６１に出力するようになっている。
【００４４】
前記ポンプ制御部６７は、前記ポンプ５３を制御駆動するようになっている。  
前記温度スイッチ検知部６９は、前記温度スイッチ４４からのオン信号を検知して前記ＭＰＵ６１に出力するようになっている。  
前記フットスイッチ検知部７１は、前記フットスイッチのオンオフ信号を検知して前記ＭＰＵ６１に出力するようになっている。
【００４５】
前記通信制御部７２は、前記ビデオプロセッサ４等と前記ＭＰＵ６１との通信を制御するようになっている。  
前記ランプ点灯制御部６８は、前記キセノンランプ４２の点灯を制御するようになっている。  
前記自動／手動点灯切換制御部７３は、前記自動／手動点灯切換スイッチ５５の信号を検知して前記ＭＰＵ６１に出力するようになっている。
【００４６】
ここで、従来の光源装置は、電源オンしたとき、使用環境の違いから外科用（硬性内視鏡）では自動点灯、内科用（軟性内視鏡）では手動点灯となるようにしていた。  
本実施例では、ユーザの使用環境に合わせて、光源装置３の電源オン時にキセノンランプ４２が自動点灯、手動点灯ができるようにしている。
【００４７】
即ち、自動／手動点灯切換スイッチ５５は、予めユーザにより押下操作されて自動設定をしている際、電源オンした起動時に自動的にキセノンランプ４２を点灯するように構成している。また、この自動／手動点灯切換スイッチ５５は、手動設定をしている際、ユーザが電源オンした起動時にキセノンランプ４２の点灯は操作パネルのスイッチ（例えば、図５「ＬＡＭＰ」スイッチ８７ａ）等で手動で行うようになっている。  
これにより、光源装置３は、ユーザの使用環境に合わせて、電源オン時にキセノンランプ４２が自動点灯、手動点灯可能である。
【００４８】
前記フロントパネル制御部７４は、前記ＭＰＵ６１の制御により前記フロントパネル４７における各種設定、各種表示を制御するようになっている。  
前記ＭＰＵ６１は、前記フロントパネル７４で操作される各種設定に基づき、前記制御基板４５の各部を制御することで、前記光源装置３内の各部を制御するようになっている。
【００４９】
本実施例では、前記コネクタ受け部４１における接続状態を検出してこの接続状態に基づき、前記ＦＲＡＭ６２に記憶されている各種設定内容を自動設定するように構成されている。
【００５０】
次に、前記光源装置３のフロントパネル４７を説明する。  
図４に示すように前記光源装置３のフロントパネル４７には、電源スイッチ８１と、操作パネル８２と、前記コネクタ受け部４１とを設けている。
【００５１】
前記電源スイッチ８１の上には、電源表示８１ａが設けられている。即ち、電源スイッチ８１が押下操作されて装置の電源がオンした際、前記電源表示８１ａが点灯して電源オン状態を告知するようになっている。  
前記コネクタ受け部４１は、前記内視鏡２（通常軟性内視鏡１１、通常硬性内視鏡１３、高輝度硬性内視鏡１４）の光源コネクタ２４ａ，２４ｃ，２４ｄのうち、１つが選択的に接続されるようになっている。
【００５２】
前記操作パネル８２は、例えば、図５に示すように構成されている。  
図５に示すように前記操作パネル８２には、ブライトネス表示部８３と、スペアランプ表示部８４と、送気設定表示部８５と、使用時間表示部８６と、ランプ制御設定表示部８７と、イルミネーションモード設定表示部８８とを設けている。
【００５３】
前記ブライトネス表示部８３には、前記キセノンランプ４２の明るさを表示するインジケータ８３ａが設けられている。また、前記スペアランプ表示部８４は、前記キセノンランプ４２が切れて前記観察モード切換ターレット５１の前記スペア用ハロゲンランプ７５に切り換わったとき、点灯するようになっている。  
また、この表示は、スペア用ハロゲンランプ７５が断線したり、外れたり、装着されていないときは点滅するようになっている。
【００５４】
前記送気設定表示部８５は、送気オンオフスイッチ８５ａと、送気レベルスイッチ８５ｂとを設けている。送気オンオフスイッチ８５ａは、内視鏡２に空気を送気するためのスイッチである。また、送気レベルスイッチ８５ｂは、前記送気レベルを設定するスイッチである。
【００５５】
前記使用時間表示部８６は、カウンタリセットスイッチ８６ａと、キセノンランプ４２の使用時間を表示する使用時間表示部８６ｂが設けられている。  
前記ランプ制御設定表示部８７は、ランプオンオフスイッチ８７ａと、自動／手動設定スイッチ８７ｂと、操作ボタン８７ｃとを設けている。
【００５６】
前記ランプオンオフスイッチ８７ａは、前記電源スイッチ８１のオン後、ランプをオンオフするためのスイッチである。このランプオンオフスイッチ８７ａにおいて、オフは不用意にランプが消灯しないように長押しで実施される。  
前記自動／手動設定スイッチ８７ｂは、前記ブライトネス調整を自動／手動で行うための切換スイッチである。
【００５７】
また、操作ボタン８７ｃは、前記ブライトネス調整が手動で行われる際に、このブライトネス調整値をアップ、ダウンするためのボタンである。これらアップ、ダウンボタンを適宜操作することによって設定値を徐々に高くなる方向、又は、前記設定値を徐々に低くなる方向に変化させられるようになっている。  
前記イルミネーションモード設定表示部８８は、フィルタモードスイッチ８８ａと、特殊光観察表示部８８ｂとを設けている。  
前記フィルタモードスイッチ８８ａは、特殊光観察を行う際に特殊光観察モードを選択するスイッチである。
【００５８】
前記特殊光観察表示部８８ｂは、特殊光観察の狭帯域光観察や蛍光観察等の使用可能（有効）な３つの特殊光観察モードを表すモードＬＥＤ８８ｃが設けられている。尚、図５中、これらモードＬＥＤ８８ｃは、特殊光観察モード「Ａ」，「Ｂ」及び「Ｃ」の３つのモード名を表示している。
【００５９】
この特殊光観察表示部８８ｂは、前記ビデオプロセッサ４に上記特殊光観察のオプション機能を搭載した基板が存在した（ディップスイッチ等でもよい）際、前記電源スイッチ８１が押下操作されて装置が電源オン状態のとき、使用可能な特殊光観察モードに対応するモードＬＥＤ８８ｃが緑色に点灯するようになっている。例えば、特殊光観察のＡとＢとが備わっていれば、特殊光観察モード「Ａ」と「Ｂ」とが緑色に点灯し、「Ｃ」は消灯のままとなる。
【００６０】
また、特殊光観察表示部８８ｂは、各特殊光観察に対応した内視鏡２が接続されると、接続された内視鏡２の特殊観察モードに対応した特殊光観察モードに対応するモードＬＥＤ８８ｃのみが緑色に点灯したまま、他の表示を消灯するようになっている。例えば、特殊光観察のＡが可能な内視鏡の接続であれば、特殊光観察モード「Ａ」は緑色の点灯のまま、「Ｂ」は消灯へ、「Ｃ」は消灯のままとなる。
【００６１】
更に、このとき、フィルタモードスイッチ８８ａも点灯し、フィルタモードスイッチ８８ａとして使えるようになる。これにより、特殊光観察表示部８８ｂは、フィルタモードスイッチ８８ａを押下操作し特殊光観察モードとなり、各特殊光観察に対応した表示が緑色から白色に点灯するようになっている（切換スイッチは、設定により、フットスイッチ、内視鏡のスイッチ等でもよい）。例えば、「Ａ」が緑色の点灯から白色の点灯へ切り換わる。また、特殊光観察表示部８８ｂは、点灯していないときは表示（文字）がほとんど認識できないようにモードＬＥＤ８８ｃが形成されている。
【００６２】
尚、前記操作パネルは、図６及び図７に示すように構成してもよい。  
図６及び図７に示すように操作パネル８２Ｂは、イルミネーションモード設定表示部８８Ｂに特殊光観察モード表示部８８ｄを設けている。  
前記特殊光観察モード表示部８８ｄは、前記モードＬＥＤ８８ｃのそれぞれの上部にドットＬＥＤ８８ｅを設けている。  
この特殊光観察モード表示部８８ｄは、特殊光観察に対応した内視鏡２が接続され、該当する特殊光観察モードの準備が整ったときにドットＬＥＤ８８ｅが点灯するようになっている。
【００６３】
即ち、この特殊光観察モード表示部８８ｄは、例えば、特殊光観察「Ａ」と「Ｂ」とのの機能が搭載されていない特殊光観察モード「Ａ」と「Ｂ」とは緑色に点灯し、「Ｃ」は消灯のままである。  
更に、この状態のまま、特殊光観察「Ａ」を行える内視鏡２が光源装置３に接続されると、特殊光観察モード表示部８８ｄは、特殊光観察「Ａ」の上部に設けられたドットＬＥＤ８８ｅのみが点灯する。もし、「Ｂ」が行える内視鏡２であれば、特殊光観察モード表示部８８ｄは、「Ｂ」の上部のＬＥＤ８８ｅのみが点灯する。
【００６４】
また、このとき、フィルタモードスイッチ８８ａも点灯し、このフィルタモードスイッチ８８ａが使える状態になる。  
そして、光源装置３は、フィルタモードスイッチ８８ａを押下操作されることで、前記モードＬＥＤ８８ｃの特殊光観察「Ａ」が白色に点灯して特殊光観察「Ａ」による観察が行えるようになっていることを示せる。  
通常の観察に戻る場合、光源装置３は、再びフィルタモードスイッチ８８ａを押下操作すれば、前記モードＬＥＤ８８ｃの特殊光観察「Ａ」が緑色に点灯し、通常の観察が行えるようになる。
【００６５】
次に、前記観察モード切換ターレット５１及び前記減光メッシュターレット５２の詳細構成を説明する。  
図８に示すように前記観察モード切換ターレット５１は前記キセノンランプ４２側に配置され、前記減光メッシュターレット５２は前記コネクタ受け部４１側に配置されている。尚、前記コネクタ受け部４１には、前記内視鏡接続検知センサ４６が設けられている。この内視鏡接続検知センサ４６の詳細構成は、後述する。  
前記観察モード切換ターレット５１及び前記減光メッシュターレット５２には、それぞれ初期位置検知ピン８９が設けられている。
【００６６】
図９及び図１０に示すように観察モード切換ターレット５１及び減光メッシュターレット５２は、それぞれ初期位置検知ピン８９を初期位置検知スイッチ９０により検知されることで、回転位置の初期位置が検知されるようになっている。  
図９に示すように観察モード切換ターレット５１には、前記スペア用ハロゲンランプ７５の他に観察フィルタが５個設けられている。
【００６７】
これら観察フィルタは、例えば前記スペア用ハロゲンランプ７５の右側から順に赤外用特殊観察光透過フィルタ９１ａ、通常観察光透過フィルタ９１ｂ、狭帯域用特殊観察光透過フィルタ９１ｃ、蛍光用特殊観察光透過フィルタ９１ｄ、蛍光／赤外用通常観察光透過フィルタ９１ｅである。
【００６８】
尚、このような配列にしたのは、ａ：通常９１ｂ⇔狭帯域９１ｃ、ｂ：蛍光／赤外９１ｅ⇔蛍光９１ｄ、ｃ：蛍光／赤外９１ｅ⇔赤外９１ａの使い方が主なためであり、これら３つの場合に対し必ず１度は初期位置検知ピン８９が初期位置検知スイッチ９０により検知される基準位置にいく必要がある。ターレット５１は、図９に示すα方向（順送り）と、β方向（逆方向）とがある。ターレット５１は、上記ａと上記ｂとをα方向（順送り）、上記ｃをβ方向（逆送り）に回りはじめるとすることで、それぞれの切り換えスピードを最大限に速くすることができるフィルタの配置となっている。
【００６９】
図１０に示すように前記減光メッシュターレット５２には、４個の減光メッシュフィルタ９２ａ〜９２ｄが設けられている。  
これら減光メッシュフィルタ９２ａ〜９２ｄは、例えば左側から順に透過率（空間率）が高くなるようになっており、透過率５０、６５、７５、１００％（メッシュ無し）となっている。
【００７０】
本実施例の光源装置３は、前記内視鏡２（通常軟性内視鏡１１、通常硬性内視鏡１３、高輝度硬性内視鏡１４）の光源コネクタ２４ａ，２４ｃ，２４ｄをコネクタ受け部４１から引き抜くとき、又は、初期設定にする場合、ターレット５２を初期位置にして一旦、透過率５０％である減光メッシュフィルタ９２ａを光路上に配置するようにしている。
【００７１】
尚、仮に上記減光メッシュフィルタ９２ａ〜９２ｄ以外の透過しない部分に何らかの理由で停止したとしても、光が遮断されないように減光メッシュターレットを、図１１に示すような構成としてもよい。  
図１１に示すように減光メッシュターレット５２Ｂは、照明光が完全に遮られて内視鏡２に供給されなくなるの防止するために、光通過用小孔９３を形成している。
【００７２】
また、減光メッシュターレット５２はモータ５９ｂによって回転可能に構成されているが、図１２に示すようにスライド減光メッシュ５２Ｃとしてもよく、略長方形状に形成してモータでリニア駆動させることにより平行駆動するように構成している。  
これにより、減光メッシュターレット５２Ｃは、リニア駆動により平行移動することでモータを使用する回転移動と同様に構成が可能である。
【００７３】
次に、減光メッシュターレット５２の更なる詳細構成を説明する。  
図１３〜図１５に示すように減光メッシュターレット５２は、ターレット板５２ａに４つの円を数珠繋ぎ状に形成した孔部９４に対して台形状の減光メッシュフィルタ９２ａ〜９２ｄを貼り付けて構成されている。
【００７４】
前記減光メッシュフィルタ９２ａ〜９２ｄは、金属材料等の線径の細線を組み編んで単層又は複数層に形成しており、前記孔部９４に対して（片面又は表裏に）張り合わせて孔部９４に応じて上述したように例えば、透過率５０、６５、７５、１００（メッシュ無し）％となるように形成されている。
【００７５】
尚、図１４，１５では、前記減光メッシュフィルタ９２ａ〜９２ｄは、前記孔部９４に対して表、裏から隙間無く張り合わせている。これにより、図１３で示した片面のみに貼り付けるものに比べて何らかの理由でメッシュがずれ、隙間となったときに最大光量が設定以上になる虞れがなく、隣り合うメッシュを重なりあうように貼ることができ、意図しない漏れ光をより防止できると共に、加工し易く構成されている。
【００７６】
後述するように前記減光メッシュフィルタ９２ａ〜９２ｄと前記観察フィルタ９１ａ〜９１ｅとの組み合わせは、前記内視鏡２（通常軟性内視鏡１１（２種類の最大光量が設定できる）、通常硬性内視鏡１３、高輝度硬性内視鏡１４）と、観察モード（通常観察、狭帯域観察、赤外観察、狭帯／赤外用通常観察）との組み合わせにより決定される。
【００７７】
先ず、内視鏡種類の検知について説明する。  
光源装置３は、前記コネクタ受け部４１に前記内視鏡２（通常軟性内視鏡１１、通常硬性内視鏡１３、高輝度硬性内視鏡１４）の光源コネクタ２４ａ，２４ｃ，２４ｄのうち、１つが選択的に接続されることにより、内視鏡接続検知センサ４６により内視鏡種類を検知するようになっている。
【００７８】
ここで、前記内視鏡２（通常軟性内視鏡１１、通常硬性内視鏡１３、高輝度硬性内視鏡１４）は、図１６に示すように光源コネクタ２４ａ，２４ｃ，２４ｄが構成されている。  
前記通常軟性内視鏡１１の光源コネクタ２４ａには、前記ライトガイド３１ａの入射端面であるライトガイド端部９５と、前記送気管路３１ｃの送気端部９６とが延出している。
【００７９】
一方、通常硬性内視鏡１３及び高輝度硬性内視鏡１４は、ライトガイド端部９５のみ延出している。
【００８０】
前記高輝度硬性内視鏡１４の光源コネクタ２４ｄには、前記ライトガイド端部９５に突起部９７が設けられている。これにより、前記内視鏡接続検知センサ４６は、後述するように通常硬性内視鏡１３と高輝度硬性内視鏡１４との違いを検知可能となっている。  
尚、高輝度対応の軟性内視鏡も考えられるが、通常軟性内視鏡の先端コネクタ２４ａに対して後述する図１７等の進退部材１０４を押す位置に図１６で示す破線のように溝を形成して高輝度硬性内視鏡と同じ位置までしか押し込むことのできないようにすれば、容易に達成できる。
【００８１】
次に、内視鏡接続検知センサ４６の詳細構成について説明する。  
図１７及び図１８に示すように前記内視鏡接続検知センサ４６は、コネクタ受け部４１に設けられている。  
前記内視鏡接続検知センサ４６は、第１〜第３フォトセンサ１０１ａ〜１０１ｃの３つにより構成されている。
【００８２】
前記第１，第２フォトセンサ１０１ａ，１０１ｂは、第１固定部材１０２に取り付けられて軸方向に配置されている。前記第３フォトセンサ１０１ｃは、第２固定部材１０３に取り付けられて前記第１，第２フォトセンサ１０１ａ，１０１ｂとは異なる向きに配置されている。尚、第１固定部材１０２と第２固定部材１０３とは同一部材としてもよい。  
また、前記コネクタ受け部４１には、前記光源コネクタ２４ａ，２４ｃ，２４ｄのうち、接続される１つの内視鏡の挿入に伴って先端側により押圧されて進退動する押さえ部材１０４ａに押さえられた進退部材１０４が設けられている。  
この進退部材１０４には、前記第１，第２フォトセンサ１０１ａ，１０１ｂを通過可能な第１，第２突起部１０５ａ，１０５ｂが設けられている。また、前記進退部材１０４の先端側にはフレキシブル部材（弾性材、例えば板ばね）１０６が延出している。このフレキシブル部材１０６の端部には、前記ライトガイド端部９５の挿入に伴い、このライトガイド端部９５に押圧されて前記第３フォトセンサ１０１ｃを通過可能な第３突起部１０５ｃが設けられている。  
ここで、前記第１〜第３フォトセンサ１０１ａ〜１０１ｃは、光が遮られていない状態を１（オン）とし、前記第１〜第３突起部１０５ａ〜１０５ｃによって光が遮られている状態を０（オフ）としている。
【００８３】
図１７及び図１８に示す光源コネクタ２４ａ，２４ｃ，２４ｄが未接続の状態のとき、前記第１，第２フォトセンサ１０１ａ，１０１ｂは前記第１，第２突起部１０５ａ，１０５ｂによって光が遮られていないので１となり、前記第３フォトセンサ１０１ｃは第３突起部１０５ｃによって光が遮られているので０となる。即ち、前記第１〜第３フォトセンサ１０１ａ〜１０１ｃは、（１，１，０）となる（図２２，２５参照）。
【００８４】
ここで、内視鏡２（通常軟性内視鏡１１、通常硬性内視鏡１３、高輝度硬性内視鏡１４）の光源コネクタ２４ａ，２４ｃ，２４ｄは、前記コネクタ受け部４１に挿入されたとき、図１９、図２０、図２１に示すような状態となっている。また、第１〜第３フォトセンサ１０１ａ〜１０１ｃと第１〜第３突起部１０５ａ〜１０５ｃとの関係は、図２２〜図２６に示すような状態となっている。
【００８５】
更に具体的に説明する。  
図１９に示すように前記通常軟性内視鏡１１の光源コネクタ２４ａは、前記コネクタ受け部４１に挿入される。このとき、前記第１，第２フォトセンサ１０１ａ，１０１ｂは、図２２に示す状態から図２４に示す状態に移行する。  
図２４に示すように前記第１フォトセンサ１０１ａは前記第１突起部１０５ａによって光が遮られているのでオフし、前記第２フォトセンサ１０１ｂは前記第２突起部１０５ｂにより光が遮られていないのでオンする。
【００８６】
また、前記第３フォトセンサ１０１ｃは、図２５に示す状態から図２６に示す状態に移行する。図２６に示すように第３フォトセンサ１０１ｃは、ライトガイド端部９５の先端側により第３突起部１０５ｃが移動し、光が遮れていない状態でオンとなる。  
これにより、前記第１〜第３フォトセンサ１０１ａ〜１０１ｃは、前記通常軟性内視鏡１１の光源コネクタ２４ａがコネクタ受け部４１に接続された際、未接続（１，１，０）の状態から（０，１，１）となる。
【００８７】
また、図２０に示すように前記高輝度硬性内視鏡１４の光源コネクタ２４ｄは、前記コネクタ受け部４１に挿入される。このとき、前記第１，第２フォトセンサ１０１ａ，１０１ｂは、図２２に示す状態から図２３に示す状態に移行する。  
図２３に示すように前記第１フォトセンサ１０１ａは光が遮られていないのでオンし、前記第２フォトセンサ１０１ｂは前記第２突起部１０５ｂによって光が遮られているのでオフする。
【００８８】
また、前記第３フォトセンサ１０１ｃは、上記通常軟性内視鏡１１の挿入と同様に図２５に示す状態から図２６に示す状態に移行し、光が遮れていない状態となりオンする。
【００８９】
これにより、前記第１〜第３フォトセンサ１０１ａ〜１０１ｃは、前記高輝度硬性内視鏡１４の光源コネクタ２４ｄがコネクタ受け部４１に接続された際、未接続（１，１，０）の状態から（１，０，１）となる。
【００９０】
また、図２１に示すように前記通常硬性内視鏡１３の光源コネクタ２４ｃは、前記コネクタ受け部４１に挿入される。このとき、前記進退部材１０４は押されず平行移動がないので前記第１，第２フォトセンサ１０１ａ，１０１ｂは、未接続と同様な図２２に示す状態であり両方共光が遮られていないのでオンになる。
【００９１】
また、前記第３フォトセンサ１０１ｃは、上記通常軟性内視鏡１１の挿入と同様に図２５に示す状態から図２６に示す状態に移行し、光が遮れていない状態となりオンになる。  
これにより、前記第１〜第３フォトセンサ１０１ａ〜１０１ｃは、前記通常硬性内視鏡１３の光源コネクタ２４ｃがコネクタ受け部４１に接続された際、未接続（１，１，０）の状態から（１，１，１）となる。  
上記第１〜第３フォトセンサ１０１ａ〜１０１ｃの状態をまとめると、表１に示すようになる。
【表１】
2006075240.tif 000003
【００９２】
尚、表１の最下段は、エラーとなった場合である。この場合、第１〜第３フォトセンサ１０１ａ〜１０１ｃは、上記以外の組み合わせとなる。  
これにより、光源装置３は、コネクタ受け部４１における接続状態を判別可能であり、接続される内視鏡２（通常軟性内視鏡１１、通常硬性内視鏡１３、高輝度硬性内視鏡１４）の種類を判別可能となっている。
【００９３】
従って、前記光源装置３は、コネクタ受け部４１における接続状態Ｄ（後述する）に基づき、各最大許容光量を決めるメッシュターレットのメッシュの位置を設定することができる。更にその他の設定内容を自動的に設定することも可能である。  
この設定内容は、例えば、表２に示すようになっており、設定情報として前記ＦＲＡＭ６２に予め記憶されている。
【表２】
2006075240.tif 000004
【００９４】
尚、前記通常軟性内視鏡１１は、上述したように送気管路３１ｃが配設されているので、光源装置３のポンプ５３により空気を送気可能となっている。一方、前記通常硬性内視鏡１３及び前記高輝度硬性内視鏡１４は、ポンプ５３を使用しないようになっている。  
更に、これらの設定項目に合わせて操作パネルの照光式スイッチや表示が点灯／消灯するようになっていてもよい。
【００９５】
また、前記内視鏡２（通常軟性内視鏡１１、通常硬性内視鏡１３、高輝度硬性内視鏡１４）の種類に加えて、観察モード（通常観察、狭帯域観察、赤外観察、狭帯／赤外用通常観察）の種類との組み合わせにより、表３に示すように前記減光メッシュフィルタ９２ａ〜９２ｄと前記観察フィルタ９１ａ〜９１ｅとの組み合わせが決定される。
【表３】
2006075240.tif 000005
【００９６】
ここで、前記内視鏡２へ入光する光は、ランプ光を１００とすると、例えば、高輝度光量は、
１００（ランプ光量）×０．８５（観察モード切換ターレット５１の透過率８５％）×１（減光メッシュターレット５２の透過率１００％）＝８５となる。
【００９７】
このように構成されている光源装置３は、図１に示すように前記内視鏡２（通常軟性内視鏡１１、通常硬性内視鏡１３、高輝度硬性内視鏡１４）の光源コネクタ２４ａ，２４ｃ，２４ｄのうち、１つが選択的に着脱自在に接続されて内視鏡検査に用いられる。  
ユーザは、光源装置３の電源オンして光源装置３を起動し、内視鏡検査を行う。
【００９８】
ここで、前記自動／手動点灯切換スイッチ５５が自動側になっていると、この自動／手動点灯切換スイッチ５５の信号を受信した前記自動／手動点灯切換制御部７３からの検知信号により、前記ＭＰＵ６１は、前記電源スイッチ８１をオンした起動時に前記キセノンランプ４２が点灯するように前記ランプ点灯制御部６８を制御する。
【００９９】
一方、前記自動／手動点灯切換スイッチ５５が手動側になっていると、前記ＭＰＵ６１は、前記電源スイッチ８１をオンした起動後、前記操作パネル８２のランプオンオフスイッチ８７ａが押下操作されることで、前記キセノンランプ４２が点灯するように前記ランプ点灯制御部６８を制御する。
【０１００】
ここで、光源装置３のＭＰＵ６１は、図２７に示すメインフローチャートに従って制御基板４５の各部を制御して装置各部を制御する。  
図２７に示すようにＭＰＵ６１は、電源スイッチ８１をオンされて光源装置３を電源オンする（ステップＳ１）と、初期設定（ステップＳ２）を行う。  
と同時にＭＰＵ６１は、１００ｍｓタイマによる１００ｍｓカウントを開始する（ステップＳ３）。
【０１０１】
ここで、ＭＰＵ６１は、１００ｍｓ毎に接続状態判別バッファＳＪへそのときの接続検知結果である接続状態Ｄを代入し、２００ｍｓ間（ノイズ、チャタリング除去）まで接続状態判別バッファＳＪ（Ｄ）に変化が無ければ、接続状態は接続状態Ｄであるとして判別するようになっている。尚、接続状態判別バッファＳＪは、前記ＦＲＡＭ６２に設けられている。
【０１０２】
先ず、ＭＰＵ６１は、接続判別時間カウンタｔに０を代入し（ステップＳ４）、内視鏡接続検知部６６により検知した前記コネクタ受け部４１における接続状態Ｄを判定する（ステップＳ５）。尚、接続判別時間カウンタｔは、ｔ＝１であると１００ｍｓ経過、t＝２であると２００ｍｓ経過したことを表すようになっている。
【０１０３】
ここで、前記内視鏡接続検知部６６は、前記内視鏡接続検知センサ４６（第１〜第３フォトセンサ１０１ａ〜１０１ｃ）から入力されるオンオフ信号に基づき、上述の表１に示したように接続状態Ｄとして以下に示す１〜５までの５つの値を取るようになっている。  
通常軟性内視鏡１１が接続されているとき、接続状態Ｄ＝０、
通常硬性内視鏡１３が接続されているとき、接続状態Ｄ＝２、
高輝度硬性内視鏡１４が接続されているとき、接続状態Ｄ＝３、
未接続のとき、接続状態Ｄ＝４
エラーが発生しているとき、接続状態Ｄ＝５。
【０１０４】
次に、ＭＰＵ６１は、接続判別時間カウンタｔが０以外であるか否かを判断する（ステップＳ６）。  
接続判別時間カウンタｔが０以外である場合、ＭＰＵ６１は接続状態判別バッファＳＪが接続状態Ｄであるか否かを判断する（ステップＳ７）。  
接続状態判別バッファＳＪが接続状態Ｄである場合、ＭＰＵ６１は、次のステップに進む。
【０１０５】
接続状態判別バッファＳＪが接続状態Ｄでない場合、ＭＰＵ６１は、接続判別時間カウンタｔに０を代入し（ステップＳ８）、次のステップに進む。  
接続判別時間カウンタｔが０である場合、ＭＰＵ６１は接続状態判別バッファＳＪに０を代入する（ステップＳ９）。
【０１０６】
次に、ＭＰＵ６１は、１００ｍｓ経過したか否かを判断する（ステップＳ１０）。  
ＭＰＵ６１は、１００ｍｓ経過するまでＳ１０を繰り返す。  
次に、ＭＰＵ６１は、接続判別時間カウンタｔがｔ＝２になったか否かを判断する（ステップＳ１１）。
【０１０７】
接続判別時間カウンタｔがｔ＝２でない場合、ＭＰＵ６１は、接続判別時間カウンタｔにｔ＋１を代入し（ステップＳ１２）、Ｓ５〜Ｓ１２を繰り返す。  
接続判別時間カウンタｔがｔ＝２である場合、ＭＰＵ６１は、内視鏡２の接続状態がＤであるとし（ステップＳ１３）、接続状態Ｄの設定情報をＦＲＡＭ６２から読み出して光源の動作設定を行う（ステップＳ１４）。
【０１０８】
ここで、接続状態Ｄの設定情報は、上述の表２に示したような設定内容であり、この設定内容に従って光源装置３の設定が行われる。  
そして、ＭＰＵ６１は、光源装置３の通常動作を開始する（ステップＳ１５）。  
ユーザは、イルミネーションモード設定表示部８８のフィルタモードスイッチ８８ａを押下操作し、特殊光観察表示部８８ｂに表示される特殊光観察モードを選択する。
【０１０９】
光源装置３は、選択された特殊光観察モードに基づき、ＭＰＵ６１が制御基板４５の各部を制御して装置各部を制御する。  
ここで、ＭＰＵ６１は、観察フィルタ９１ａ〜９１ｅのうち、選択された観察モードに応じた観察フィルタが光路上に配置されるように前記観察モード切換ターレット制御部６３を制御してモータ５９ａを制御駆動させる。
【０１１０】
同時に、ＭＰＵ６１は、減光メッシュフィルタ９２ａ〜９２ｄのうち、選択された観察モードに応じた減光メッシュフィルタが光路上に配置されるように前記減光メッシュターレット制御部６４を制御してモータ５９ｂを制御駆動させる。  
また、ＭＰＵ６１は、選択された観察モードに応じて前記絞り４９が照明光の光量を絞るように前記絞り制御部６５を制御してモータ５９ｃを制御駆動させる。
【０１１１】
また、ユーザは、内視鏡検査中、例えば、高輝度硬性内視鏡１４を光源装置３から取り外して通常硬性内視鏡１３を光源装置３に接続して用いる場合もある。  
この場合、光源装置３は、高輝度モード中、コネクタ受け部４１から高輝度硬性内視鏡１４の光源コネクタ２４ｄが引き抜かれ、新たに通常硬性内視鏡１３の光源コネクタ２４ｃがコネクタ受け部４１に接続される。
【０１１２】
このとき、通常硬性内視鏡１３は、光源装置３から高輝度の照明光が供給されないようにする必要がある。  
このため、光源装置３は、高輝度モードにおいて、高輝度硬性内視鏡１４の光源コネクタ２４ｄをコネクタ受け部４１から抜いたとき、照明光の光量の最大が低い状態に設定する。また、高輝度硬性内視鏡１４から通常軟性内視鏡１１に接続し直したときも同様である。
【０１１３】
前記ＭＰＵ６１は、上述の表３に示したように観察モード切換ターレット５１の観察フィルタ９１ａ〜９１ｅと、減光メッシュターレット５２の減光メッシュフィルタ９２ａ〜９２ｄとの組み合わせにより高輝度の光量が通常の内視鏡１１に供給されないように制御している。
【０１１４】
ここで、前記内視鏡接続検知部６６は、前記内視鏡接続検知センサ１０１ａ〜１０１ｃが検知するオンオフ信号の検知時間を光源コネクタ（２４ａ，２４ｃ，２４ｄ）が前記コネクタ受け部４１に接続されたときと、抜かれたときとで変更している。  
即ち、前記内視鏡接続検知部６６は、前記光源コネクタ（２４ａ，２４ｃ，２４ｄ）が前記コネクタ受け部４１に接続されたときの前記内視鏡接続検知センサ１０１ａ〜１０１ｃが検知するオンオフ信号の検知時間を長くして内視鏡２を検知する。
【０１１５】
一方、前記内視鏡接続検知部６６は、前記光源コネクタ（２４ａ，２４ｃ，２４ｄ）が前記コネクタ受け部４１から抜かれたときの前記内視鏡接続検知センサ１０１ａ〜１０１ｃが検知するオンオフ信号の検知時間を短くして光源装置３の設定を未接続時の設定に素早く変更する。また、このとき、前記絞り４９は、上述したように例えば、半開となるように制御されている。
【０１１６】
ここで、光源装置３のＭＰＵ６１は、図２８に示す内視鏡切換制御フローチャートに従って制御基板４５の各部を制御して装置各部を制御する。  
図２８に示すようにＭＰＵ６１は、通常動作中（ステップＳ１５’）から１００ｍｓ経過したか否かを判断する（ステップＳ１６）。  
ＭＰＵ６１は、１００ｍｓ経過するまでＳ１６を繰り返す。
【０１１７】
次に、ＭＰＵ６１は、上記Ｓ５と同様に内視鏡接続検知部６６により検知した接続状態Ｄを判定する（ステップＳ１７）。  
次に、ＭＰＵ６１は、接続状態判別バッファＳＪが接続状態Ｄであるか否かを判断する（ステップＳ１８）。  
接続状態判別バッファＳＪが接続状態Ｄでない場合、ＭＰＵ６１は、接続状態判別バッファＳＪにＤを代入する（ステップＳ１９）、接続判別時間カウンタｔに０を代入し（ステップＳ２０）、Ｓ１６に戻る。
【０１１８】
一方、接続状態判別バッファＳＪが接続状態Ｄである場合、ＭＰＵ６１は、接続判別時間カウンタｔが０であるか否かを判断する（ステップＳ２１）。  
接続判別時間カウンタｔが０である場合、ＭＰＵ６１は接続判別時間カウンタｔにｔ＋１を代入し（ステップＳ２２）、Ｓ１６に戻る。  
接続判別時間カウンタｔが０でない場合、ＭＰＵ６１は接続状態Ｄが０か２か３かを判断する（ステップＳ２３）。  
接続状態Ｄが０か２か３である場合、ＭＰＵ６１は接続判別時間カウンタｔが１４であるか否かを判断する。  
接続判別時間カウンタｔが１４でない場合、ＭＰＵ６１は接続判別時間カウンタｔにｔ＋１を代入し（ステップＳ２２）、Ｓ１６に戻る。
【０１１９】
一方、接続判別時間カウンタｔが１４である場合、ＭＰＵ６１は内視鏡２の接続状態がＤであるとし（ステップＳ２５）、接続状態Ｄの設定情報をＦＲＡＭ６２から読み出して光源の動作設定を行う（ステップＳ２６）。  
そして、ＭＰＵ６１は、光源装置３の通常動作に戻る（ステップＳ２７）。
【０１２０】
一方、接続状態Ｄが０か２か３でない場合、ＭＰＵ６１は接続状態Ｄが４であるか否かを判断する（ステップＳ２８）。  
接続状態Ｄが４である場合、ＭＰＵ６１は接続判別時間カウンタｔが１であるか否かを判断する（ステップＳ２９）。
【０１２１】
接続判別時間カウンタｔが４でない場合、ＭＰＵ６１は接続判別時間カウンタｔにｔ＋１を代入し（ステップＳ２２）、Ｓ１６に戻る。  
一方、接続判別時間カウンタｔが４である場合、ＭＰＵ６１は内視鏡２の接続状態がＤであるとし（ステップＳ２５）、接続状態Ｄの設定情報をＦＲＡＭ６２から読み出して光源の動作設定を行う（ステップＳ２６）。
【０１２２】
そして、ＭＰＵ６１は、光源装置３の通常動作に戻る（ステップＳ２７）。  
一方、接続状態Ｄが０か４でない場合、ＭＰＵ６１は接続状態Ｄが５であるとし（ステップＳ３０）、次に接続判別時間カウンタｔが４であるか否かを判断する（ステップＳ３１）。
【０１２３】
接続判別時間カウンタｔが４でない場合、ＭＰＵ６１は接続判別時間カウンタｔにｔ＋１を代入し（ステップＳ２２）、Ｓ１６に戻る。  
一方、接続判別時間カウンタｔが４である場合、ＭＰＵ６１は内視鏡２の接続状態がＤであるとし（ステップＳ２５）、接続状態Ｄの設定情報をＦＲＡＭ６２から読み出して光源の動作設定を行う（ステップＳ２６）。  
そして、ＭＰＵ６１は、光源装置３の通常動作に戻る（ステップＳ２７）。
【０１２４】
これにより、光源装置３は、内視鏡検査中、例えば、内視鏡２を取り換えて接続しても、接続した内視鏡２に応じて設定内容を設定可能である。  
尚、接続状態Ｄが５である場合、ＭＰＵ６１は、エラー告知すると共に、必要最低限の検査が続行できるように設定を通常硬性内視鏡１３の接続設定とするようになっている。
【０１２５】
また、ユーザは、内視鏡検査中、例えば、フロントパネル４７の操作パネル８２で設定内容を変更する場合がある。この場合、光源装置３は、ＭＰＵ６１の制御により設定変更された設定内容に基づき、制御基板４５の各部を制御して装置各部を制御する。
【０１２６】
ここで、光源装置３のＭＰＵ６１は、図２９に示すメモリ書き込み制御フローチャートに従ってＦＲＡＭ６２に変更した設定内容を書き込む。  
図２９に示すようにＭＰＵ６１は、通常動作中（ステップＳ１５’）、フロントパネル４７の操作パネル８２に設けたスイッチ（ＳＷ）により設定変更されたか否かを判断する（ステップＳ３２）。
【０１２７】
ＭＰＵ６１は、操作パネル８２のスイッチにより設定変更するまで、Ｓ３２を繰り返す。  
操作パネル８２のスイッチで設定変更されている場合、ＭＰＵ６１は、接続状態Ｄが４又は５でないか否かを判断する（ステップＳ３３）。
【０１２８】
接続状態Ｄが４又は５でない場合、ＭＰＵ６１は、現在の接続状態Ｄに対応したＦＲＡＭ６２のメモリ領域と、接続状態Ｄ＝４のＦＲＡＭ６２のメモリ領域へ設定変更内容を書き込み（ステップＳ３４）、Ｓ３２へ戻る。  
一方、接続状態Ｄが４又は５である場合、ＭＰＵ６１は、接続状態Ｄが４であるか否かを判断する（ステップＳ３５）。
【０１２９】
接続状態Ｄが４である場合、ＭＰＵ６１は、接続状態Ｄ＝４のＦＲＡＭ６２のメモリ領域と接続状態Ｄ＝４に対応する接続状態Ｄ（０か２か３）のＦＲＡＭ６２のメモリ領域へ設定変更内容を書き込み（ステップＳ３６）、Ｓ３２へ戻る。  
一方、接続状態Ｄが４でない場合、ＭＰＵ６１は、Ｓ３２へ戻る。
【０１３０】
これにより、光源装置３は、変更された設定内容をＦＲＡＭ６２に記憶して次に起動した際、この記憶した設定内容に従って装置各部を設定可能である。  
また、ユーザは、内視鏡検査中、例えば、フロントパネル４７の操作パネル８２で観察モードを変更する場合がある。
【０１３１】
ユーザは、イルミネーションモード設定表示部８８のフィルタモードスイッチ８８ａを押下操作し、特殊光観察表示部８８ｂに表示される特殊光観察モードを選択する。  
光源装置３は、選択された特殊光観察モードに基づき、ＭＰＵ６１が制御基板４５の各部を制御して装置各部を制御する。
【０１３２】
ここで、光源装置３のＭＰＵ６１は、図３０に示す観察モード切換制御フローチャートに従って観察モード切換を行う。  
図３０に示すように光源装置３は、フロントパネル４７の操作パネル８２に設けたスイッチ（イルミネーションモード設定表示部８８のフィルタモードスイッチ８８ａ）により、観察モード変更要求が発生する（ステップＳ４１）。
【０１３３】
すると、ＭＰＵ６１は、現在の観察モード切換ターレット５１の透過率が減光メッシュターレット５２の透過率よりも大きいか否かを判断する（ステップＳ４２）。  
現在の観察モード切換ターレット５１の透過率が減光メッシュターレット５２の透過率よりも大きい場合、ＭＰＵ６１は、観察モード切換ターレット５１の切換を開始する（ステップＳ４３）。
【０１３４】
ＭＰＵ６１は、観察フィルタ９１ａ〜９１ｅのうち、選択された観察モードに応じた観察フィルタが光路上に配置されるように前記観察モード切換ターレット制御部６３を制御してモータ５９ａを制御駆動させる。  
そして、ＭＰＵ６１は、観察モード切換ターレット５１の切換を完了する（ステップＳ４４）。
【０１３５】
次にＭＰＵ６１は、減光メッシュターレット５２の切換を開始する（ステップＳ４５）。ＭＰＵ６１は、減光メッシュフィルタ９２ａ〜９２ｄのうち、選択された観察モードに応じた減光メッシュフィルタが光路上に配置されるように前記減光メッシュターレット制御部６４を制御してモータ５９ｂを制御駆動させる。  
そして、ＭＰＵ６１は、減光メッシュターレット５２の切換を完了し（ステップＳ４６）、観察モード変更が完了となる（ステップＳ４７）。
【０１３６】
一方、現在の観察モード切換ターレット５１の透過率が減光メッシュターレット５２の透過率よりも小さい場合、ＭＰＵ６１は、減光メッシュターレット５２の切換を開始する（ステップＳ４８）。  
ＭＰＵ６１は、減光メッシュフィルタ９２ａ〜９２ｄのうち、選択された観察モードに応じた減光メッシュフィルタが光路上に配置されるように前記減光メッシュターレット制御部６４を制御してモータ５９ｂを制御駆動させる。
【０１３７】
そして、ＭＰＵ６１は、減光メッシュ切換ターレットの切換を完了する（ステップＳ４９）。  
次にＭＰＵ６１は、観察モード切換ターレット５１の切換を開始する（ステップＳ５０）。  
ＭＰＵ６１は、観察フィルタ９１ａ〜９１ｅのうち、選択された観察モードに応じた観察フィルタが光路上に配置されるように前記観察モード切換ターレット制御部６３を制御してモータ５９ａを制御駆動させる。
【０１３８】
そして、ＭＰＵ６１は、観察モード切換ターレット５１の切換を完了し（ステップＳ５１）、観察モード変更が完了となる（ステップＳ４７）。  
これにより、光源装置３は、動作中に観察モードを変更してもこの変更した観察モードに応じて設定を自動的に変更可能である。
【０１３９】
尚、本発明は、以上述べた実施例のみに限定されるものではなく、発明の要旨を逸脱しない範囲で種々変形実施可能である。
【産業上の利用可能性】
【０１４０】
本発明の内視鏡用光源装置は、減光フィルタを設けても小型化できるので、医療用分野、工業用分野、特に複数種の内視鏡のうち、１つを選択的に接続可能な場合に適している。
【図面の簡単な説明】
【０１４１】
【図１】一実施例の内視鏡用光源装置を備えた内視鏡システムを示す全体構成図である。
【図２】図１の光源装置の内部構成を示すブロック図である。
【図３】図２の制御基板の内部構成を示すブロック図である。
【図４】図１の光源装置の正面図である。
【図５】図４の操作パネルの構成を示す拡大図である。
【図６】図４の変形例を示す光源装置の正面図である。
【図７】図６の操作パネルの構成を示す拡大図である。
【図８】図２のキセノンランプからの光路を示す概略斜視図である。
【図９】図８の観察モード切換ターレット付近を示す正面図である。
【図１０】図８の減光メッシュターレット付近を示す正面図である。
【図１１】図１０の第１の変形例を示す減光メッシュターレットの正面図である。
【図１２】図１０の第２の変形例を示す減光メッシュターレットの正面図である。
【図１３】図１０の減光メッシュターレットの詳細構成を示す斜視図である。
【図１４】図１３の減光メッシュの貼り方の変更例を示す斜視図である。
【図１５】図１４の減光メッシュターレットの裏側を示す斜視図である。
【図１６】図１の内視鏡のコネクタが光源に接続された状態の位置関係を示す概略説明図である。
【図１７】図８のコネクタ受け部付近を示す斜視図である。
【図１８】図１７のコネクタ受け部付近の断面図である。
【図１９】図１８のコネクタ受け部に通常軟性内視鏡の光源コネクタが接続された際の断面図である。
【図２０】図１８のコネクタ受け部に高輝度硬性内視鏡の光源コネクタが接続された際の断面図である。
【図２１】図１８のコネクタ受け部に通常硬性内視鏡の光源コネクタが接続された際の断面図である。
【図２２】図１８における第１，第２フォトセンサと第１，第２突起部との関係を示す概略説明図である。
【図２３】図１９における第１，第２フォトセンサと第１，第２突起部との関係を示す概略説明図である。
【図２４】図２０における第１，第２フォトセンサと第１，第２突起部との関係を示す概略説明図である。
【図２５】第３フォトセンサと第３突起部との関係を示し、第３フォトセンサがオフしている状態の概略説明図である。
【図２６】第３フォトセンサと第３突起部との関係を示し、第３フォトセンサがオンしている状態の概略説明図である。
【図２７】ＭＰＵが行うメインフローチャートである。
【図２８】ＭＰＵが行う内視鏡切換制御フローチャートである。
【図２９】ＭＰＵが行うメモリ書き込み制御フローチャートである。
【図３０】ＭＰＵが行う観察モード切換制御フローチャートである。
【符号の説明】
【０１４２】
１  内視鏡システム
２  内視鏡
３  光源装置
４  ビデオプロセッサ
１１  通常軟性内視鏡
１３  通常硬性内視鏡
１４  高輝度硬性内視鏡
１５  カメラヘッド
２４ａ，２４ｃ，２４ｄ  光源コネクタ
４１  コネクタ受け部
４２  キセノンランプ
４５  制御基板
４６  内視鏡接続検知センサ
４７  フロントパネル
４９  絞り
５１  観察モード切換ターレット
５２  減光メッシュターレット
６１  ＭＰＵ
６２  ＦＲＡＭ
６３  観察モード切換ターレット制御部
６４  減光メッシュ切換ターレット制御部
６５  絞り制御部
６６  内視鏡接続検知部
９１ａ〜９１ｅ  観察フィルタ
９２ａ〜９２ｄ  減光メッシュフィルタ
１０１ａ〜１０１ｃ  第１〜第３フォトセンサ
代理人    弁理士    伊藤  進
【図１】
2006075240.tif 000006
【図２】
2006075240.tif 000007
【図３】
2006075240.tif 000008
【図４】
2006075240.tif 000009
【図５】
2006075240.tif 000010
【図６】
2006075240.tif 000011
【図７】
2006075240.tif 000012
【図８】
2006075240.tif 000013
【図９】
2006075240.tif 000014
【図１０】
2006075240.tif 000015
【図１１】
2006075240.tif 000016
【図１２】
2006075240.tif 000017
【図１３】
2006075240.tif 000018
【図１４】
2006075240.tif 000019
【図１５】
2006075240.tif 000020
【図１６】
2006075240.tif 000021
【図１７】
2006075240.tif 000022
【図１８】
2006075240.tif 000023
【図１９】
2006075240.tif 000024
【図２０】
2006075240.tif 000025
【図２１】
2006075240.tif 000026
【図２２】
2006075240.tif 000027
【図２３】
2006075240.tif 000028
【図２４】
2006075240.tif 000029
【図２５】
2006075240.tif 000030
【図２６】
2006075240.tif 000031
【図２７】
2006075240.tif 000032
【図２８】
2006075240.tif 000033
【図２９】
2006075240.tif 000034
【図３０】
2006075240.tif 000035